(57)【要約】【課題】遊技媒体に関する不正行為を有効に取り締まることを可能とする遊技媒体及び遊技媒体の管理システムの提供を目的とする。【解決手段】管理システム１は、ミューチップ２０を備えたパチンコ玉１０と、このパチンコ玉１０が通過する際、ミューチップ２０のＩＤ番号を受信する貸出し装置３１及び払出し装置５４と、パチンコ玉１０が通過する際、ミューチップ２０のＩＤ番号を受信する回収装置５３及び遊技媒体計数機４０と、貸出し装置３１及び払出し装置５４から、これらの装置を通過したパチンコ玉１０のＩＤ番号を入力し記憶するとともに、該ＩＤ番号以外のパチンコ玉１０のＩＤ番号を回収装置５３又は遊技媒体計数機４０から入力すると、警報を発する集中管理装置６０と、を具備した構成としてある。【選択図】      図２
2004298365.tif 000002
【特許請求の範囲】
【請求項１】
貸出し装置から貸し出され又は遊技機の払出し装置から払い出されたことを識別する識別手段を備えたことを特徴とする遊技媒体。
【請求項２】
前記識別手段を、ミューチップとしたことを特徴とする請求項１記載の遊技媒体。
【請求項３】
前記ミューチップを、前記遊技媒体の切欠に収納したことを特徴とする請求項２記載の遊技媒体。
【請求項４】
識別手段を備えた遊技媒体と、
この遊技媒体が通過する際、前記識別手段の識別情報を入力する貸出し装置及び遊技機の払出し装置と、
前記遊技媒体が通過する際、前記識別手段の識別情報を入力する前記遊技機の回収装置及び遊技媒体計数機と、
前記貸出し装置及び遊技機の払出し装置から、これらの装置を通過した前記遊技媒体の識別情報を入力し記憶するとともに、該記憶された識別情報以外の前記遊技媒体の識別情報を前記回収装置又は遊技媒体計数機から入力すると，又は，遊技媒体が通過した際、前記回収装置又は遊技媒体計数機から前記識別情報を入力しないと、警報を発する集中管理装置と、を具備したことを特徴とする遊技媒体の管理システム。
【請求項５】
識別手段を備えた遊技媒体と、
この遊技媒体が通過する際、前記識別手段に識別情報を書き込む貸出し装置及び遊技機の払出し装置と、
前記遊技媒体が通過する際、前記識別手段の識別情報を読み取る前記遊技機の回収装置及び遊技媒体計数機と、
前記読み取られた識別情報が前記書き込まれた識別情報と一致するか否かを判断し、一致しないとき警報を発する警報手段と、を具備したことを特徴とする遊技媒体の管理システム。
【請求項６】
前記回収装置及び／又は遊技媒体計数機が、前記識別情報を出力しない遊技媒体を選別する選別手段を備えたことを特徴とする請求項４又は５記載の遊技媒体の管理システム。
【請求項７】
前記遊技媒体計数機が、前記貸出し装置又は遊技機の払出し装置を通過していない遊技媒体を計数することを特徴とする請求項４〜６のいずれかに記載の遊技媒体の管理システム。
【請求項８】
前記識別手段をミューチップとしたことを特徴とする請求項４〜７のいずれかに記載の遊技媒体の管理システム。
【発明の詳細な説明】
【０００１】
【発明の属する技術分野】
本発明は、遊技媒体及び遊技媒体の管理システムに関し、特に、ＩＤ番号を発信するミューチップが取り付けられた遊技媒体，及び，各遊技媒体のＩＤ番号を管理することにより、容易に不正行為を取り締まることのできる遊技媒体の管理システムに関する。
【０００２】
【従来の技術】
パチンコ台やスロットマシン等の遊技機が設置された遊技場では、一般的に、遊技者が、現金と引き換えにパチンコ玉やメダル等の遊技媒体を遊技場から貸し出してもらい、この貸し出してもらった遊技媒体で遊技し、遊技終了後に獲得した遊技媒体を景品と交換するシステムとなっている。
また、遊技媒体には、どこの遊技場の遊技媒体かを目視により識別することができるように、その遊技場のマークが刻印されている。
【０００３】
ところで、上記遊技媒体は、遊技場が用意した景品と交換することができ、金銭的価値を有している。
このため、遊技媒体に関する不正行為を防止する管理システムが様々提案されている。
【０００４】
たとえば、遊技媒体の偽造防止に際して、遊技媒体に特有の金属材質を使用して製造することにより、仮に外観を類似形成しても、材質が異なることから既存のメダル材質を明瞭に区別して排除できるため、偽造要点が絞れず、この結果、不正計画者に対する不正な心理を完全に解消できる偽造防止機能を持たせた遊技店舗システムおよび遊技媒体を提供する技術がある（例えば、特許文献１参照。）。
この技術は、遊技店舗に備えられる遊技機や計数機に使用される遊技媒体が自店舗発行媒体か否かを監視する遊技店舗システムであって、遊技媒体を特有の材質で製造し、この遊技媒体の特有の材質を識別する材質センサを自店舗の遊技機または／および計数機に備えたことを特徴としている。
【０００５】
また、遊技媒体の管理を行うことにより、不正を未然に防ぐことができるようにした遊技場における遊技媒体の管理システムの技術がある（例えば、特許文献２参照。）。
この技術は、遊技機と、この遊技機から出る遊技媒体を収容する収容箱と、収容箱内の遊技媒体の計数を行う計数機とを備えた遊技場における管理システムである。収容箱に取り付けられた識別子と、この識別子を読み込む遊技機側リード部と、遊技機側リード部で読み込まれた識別子と収容箱に出した遊技媒体の出量情報とを記憶する出量情報記憶部と、収容箱の識別子を読み込む計数機側リード部と、計数機側リード部で読み込んだ識別子と出量情報記憶部に記憶された識別子との照合を行い同じ識別子を持つ収容箱の出量情報を呼び出す出量情報呼出部と、計数機での遊技媒体の計数結果と出量情報呼出部で呼び出された出量情報とを比較する比較部とを備えた構成としてある。
【０００６】
【特許文献１】
特開２００１−２２４７４６号公報  （第１，２頁、第１図）
【特許文献２】
特開平１１−１２８５２２号公報  （第１，２頁、第１図）
【０００７】
【発明が解決しようとする課題】
しかしながら、遊技者は、少量であれば他店の遊技媒体を容易に持ち込むことができ、遊技場の店員に気づかれることなく、他店の遊技媒体で遊技することができる。すなわち、遊技場は、遊技者が他店の遊技媒体を持ち込んで遊技することを禁止しているものの、他店の遊技媒体を容易に識別することができないので、かかる不正行為の現場を押させて注意するといった、効果的な指導を行なうことができないといった問題があった。
【０００８】
また、混入された他店の遊技媒体を選別することは、刻印されたマークが異なっているので可能ではあるものの、一見してマークを識別することは容易でなく、かつ、遊技媒体の数量が大量であることから、人間が選別したのでは効率が悪く現実的でないといった問題があった。
さらに、スロットマシンにおけるメダルは、一枚当たりの価値が高く、かつ、金属板をプレス加工することにより、容易に製造することができることから、偽造されやすいが、このような偽造遊技媒体が遊技機から払い出されると、遊技者に不快感を与えるとともに、遊技場の信頼が損なわれるといった問題があった。
【０００９】
また、より悪質な不正行為としては、たとえば、遊技場の遊技媒体タンク等から遊技媒体を大量に盗み出し、盗んだ遊技媒体を計数してもらい、景品と交換するといった行為もある。この際、計数してもらう遊技媒体が、遊技場の遊技媒体であることから、遊技場の店員は、盗み出された遊技媒体であることを認識することができない。
すなわち、盗まれた遊技媒体であるか否かを識別することができないので、このような悪質な不正行為を、有効に取り締まることができないといった問題があった。
【００１０】
本発明は、上述した従来の技術が有する問題を解決するために提案されたものであり、遊技媒体に関する不正行為を有効に取り締まることを可能とする遊技媒体及び遊技媒体の管理システムの提供を目的とする。
【００１１】
【課題を解決するための手段】
上記目的を達成するため本発明の請求項１記載の遊技媒体は、貸出し装置から貸し出され又は遊技機の払出し装置から払い出されたことを識別する識別手段を備えた構成としてある。
このような識別手段を備えることにより、遊技媒体タンク等から盗まれた遊技媒体であるか否かを識別することができ、店員が盗み出された遊技媒体であることを認識することができるので、遊技媒体を盗むといった悪質な不正行為を有効に取り締まることができる。
【００１２】
また、本発明の請求項２記載の遊技媒体は、前記識別手段を、ミューチップとした構成としてある。
このようにすると、各遊技媒体にＩＤ番号を付与することができるので、このＩＤ番号を管理することにより、遊技媒体の盗難，偽造遊技媒体や他店の遊技媒体の使用といった不正行為を効果的に防止することができる。
【００１３】
また、本発明の請求項３記載の遊技媒体は、前記ミューチップを、前記遊技媒体の切欠に収納した構成としてある。
このようにすると、ミューチップが遊技媒体により保護されるので、破損するといった不具合を回避することができる。
【００１４】
また、本発明の請求項４記載の遊技媒体の管理システムは、識別手段を備えた遊技媒体と、この遊技媒体が通過する際、前記識別手段の識別情報を入力する貸出し装置及び遊技機の払出し装置と、前記遊技媒体が通過する際、前記識別手段の識別情報を入力する前記遊技機の回収装置及び遊技媒体計数機と、前記貸出し装置及び遊技機の払出し装置から、これらの装置を通過した前記遊技媒体の識別情報を入力し記憶するとともに、該記憶された識別情報以外の前記遊技媒体の識別情報を前記回収装置又は遊技媒体計数機から入力すると，又は，遊技媒体が通過した際、前記回収装置又は遊技媒体計数機から前記識別情報を入力しないと、警報を発する集中管理装置と、を具備した構成としてある。
このようにすると、貸出し装置から貸し出された遊技媒体及び遊技機の払出し装置から払いだされた遊技媒体以外の遊技媒体、すなわち、遊技媒体タンク等から盗まれた遊技媒体，遊技者が持ち込んだ偽造遊技媒体，他店の遊技媒体等が、景品交換のために計数されたり、遊技機に使用されていることを知ることができるので、このような不正行為を効果的に取り締まることができる。
【００１５】
また、本発明の請求項５記載の遊技媒体の管理システムは、識別手段を備えた遊技媒体と、この遊技媒体が通過する際、前記識別手段に識別情報を書き込む貸出し装置及び遊技機の払出し装置と、前記遊技媒体が通過する際、前記識別手段の識別情報を読み取る前記遊技機の回収装置及び遊技媒体計数機と、前記読み取られた識別情報が前記書き込まれた識別情報と一致するか否かを判断し、一致しないとき警報を発する警報手段と、を具備した構成としてある。
このようにしても、貸出し装置から貸し出された遊技媒体及び遊技機の払出し装置から払いだされた遊技媒体以外の遊技媒体が、景品交換のために計数されたり、遊技機に使用されていることを知ることができるので、このような不正行為を効果的に取り締まることができる。
【００１６】
また、本発明の請求項６記載の遊技媒体の管理システムは、前記回収装置及び／又は遊技媒体計数機が、前記識別情報を出力しない遊技媒体を選別する選別手段を備えた構成としてある。
このようにすると、多数の遊技媒体の中から、他店の遊技媒体又は偽造された遊技媒体を効率よく選別することができる。
なお、識別情報を出力しない遊技媒体として、他店の遊技媒体や偽造された遊技媒体等が挙げられる。
【００１７】
また、本発明の請求項７記載の遊技媒体の管理システムは、前記遊技媒体計数機が、前記貸出し装置又は遊技機の払出し装置を通過していない遊技媒体を計数する構成としてある。
このようにすると、不正行為のレベル、たとえば、他店の遊技媒体が数個混入した程度の見逃してもよい不正行為なのか、計数している遊技媒体の全てが盗まれた遊技媒体であるといった極めて悪質な不正行為なのかを容易に判断することができる。
【００１８】
また、本発明の請求項８記載の遊技媒体の管理システムは、前記識別手段をミューチップとし、このミューチップが、識別情報として、ＩＤ番号を発信する構成としてある。
このようにすると、各遊技媒体にＩＤ番号を付与することができるので、このＩＤ番号を管理することにより、効率よく遊技媒体を管理することができる。
【００１９】
【発明の実施の形態】
次に、本発明の遊技媒体及び遊技媒体の管理システムの好ましい実施形態について、図面を参照して説明する。
なお、以下に説明する各実施形態においては、遊技媒体としてパチンコ玉を使用した場合について説明するが、本発明の対象となる遊技媒体は、パチンコ玉に限定されるものではなく、たとえば、スロットマシンにおけるメダルなどでもよい。
【００２０】
［遊技媒体］
図１は、本発明にかかる遊技媒体の概略図であり、（ａ）は正面図を、（ｂ）はＡ−Ａ断面図を示している。
同図において、遊技媒体であるパチンコ玉１０は、表面にミューチップ２０及び外部アンテナ２１を収納する深さ方向に円弧状の切欠１１が設けられている。
【００２１】
この切欠１１は、ミューチップ２０及び外部アンテナ２１の大きさにより決定され、たとえば、矩形薄板状のミューチップ２０の大きさが約０．４ｍｍ×０．４ｍｍ×０．０６ｍｍ（縦×横×厚さ）であり、外部アンテナ２１の長さが約３ｍｍであるときは、開口部の長さ約４ｍｍ，幅約０．１ｍｍ，平均深さ約０．８ｍｍの切欠１１が設けられる。
このように、ミューチップ２０を切欠１１に完全に挟み込むように収納することにより、パチンコ玉１０が使用されても、ミューチップ２０及び外部アンテナ２１がパチンコ玉１０により保護されるので、破損するといった不具合を防止することができる。また、切欠１１の幅を細くすることにより、切欠１１がパチンコ玉１０の真球度に及ぼす悪影響を低減することができる。
【００２２】
また、好ましくは、ミューチップ２０及び外部アンテナ２１を、接着剤１２を用いて、切欠１１の内面に接着するとよく、このようにすると、ミューチップ２０及び外部アンテナ２１を強固に切欠１１内部に収納することができる。
なお、ミューチップ２０を収納する切欠１１の形状は、上記形状に限定されるものではなく、ミューチップ２０や外部アンテナ２１の形状に応じて、様々な形状とすることができる。
また、ミューチップ２０として、あらかじめ外部アンテナが取り付けられたインレット（外部アンテナ付きミューチップ）を用いることもできる。
【００２３】
また、本実施形態のパチンコ玉１０は、遊技場のパチンコ玉の貸出し装置から貸し出され又はパチンコ台の払出し装置から払い出されたことを識別する識別手段として、ミューチップ２０を用いている。
このミューチップ２０は、通常、読み取り専用機能を有し、製造時に設定される１２８ビットのユニークＩＤが設定される。また、ミューチップ２０は、周波数２．４５ＧＨｚ、最大距離約３０ｃｍ（外部アンテナ付）で、電池無しで動作する受動型としてある。
ただし、ミューチップ２０の機能は、上記機能に限定されるものではなく、たとえば、書き込み機能を有してもよい。
【００２４】
このように、本実施形態のパチンコ玉１０によれば、ミューチップ２０が各パチンコ玉１０のＩＤ番号を発信するので、このＩＤ番号を後述するように管理することができる。そして、遊技場の店員は、遊技媒体タンク等から盗まれたパチンコ玉１０であるか否かを容易に認識することができるので、パチンコ玉１０を盗むといった悪質な不正行為を有効に取り締まることができる。また、偽造遊技媒体や他店の遊技媒体の使用といった不正行為をも効果的に防止することができる。
【００２５】
なお、本実施形態のパチンコ玉１０は、識別手段として、ミューチップ２０を使用しているが、識別手段はミューチップ２０に限定されるものではなく、たとえば、紫外線に反応する塗料等を用いてもよい。すなわち、遊技媒体の貸出し装置や遊技機の払出し装置が、上記塗料で数字や図柄などを遊技媒体に印刷し、遊技媒体計数機が上記数字や図柄を認識するとともに、認識後の数字や図柄を消去する構成としてもよい。
このようにすると、遊技媒体計数機が、適法に遊技媒体タンク等から貸し出されたり払い出された遊技媒体であることを確認しながら計数するので、たとえば、遊技媒体タンク等から遊技媒体を盗むといった不正行為を効率よく取り締まることができる。
【００２６】
［遊技媒体の管理システム］
図２は、本発明にかかる遊技媒体の管理システムにおける、遊技媒体の流れ及び遊技媒体のＩＤ番号情報の流れを説明するための概略ブロック図を示している。
同図において、遊技媒体の管理システム１（適宜、管理システム１と略称する。）は、ミューチップ２０が内蔵されたパチンコ玉１０と、遊技媒体タンク３０と、パチンコ玉１０の貸出し装置３１と、パチンコ台５０と、遊技媒体計数機４０と、集中管理装置６０とからなっている。
【００２７】
遊技媒体タンク３０は、通常、パチンコ玉１０を蓄えるタンクをいうが、本実施形態では、遊技者が勝手に触れることができない状態で、パチンコ玉１０を溜めたり移動させる装置等を含むものとしてある。
なお、同図において、遊技者が管理するパチンコ玉１０の流れを、太い一点鎖線の矢印で示してあり、遊技場が管理するパチンコ玉１０の流れを、太い実線の矢印で示してある。
【００２８】
貸出し装置３１は、現金やプリペードカードを入れると、パチンコ玉１０を遊技者に貸し出す装置であり、遊技媒体タンク３０内のパチンコ玉１０が貸し出される。
また、貸出し装置３１は、パチンコ玉１０を貸し出すとき、通過するパチンコ玉１０のＩＤ番号を受信し、これらのＩＤ番号を集中管理装置６０に出力する。そして、集中管理装置６０は、どこの貸出し装置３１から、いかなるＩＤ番号のパチンコ玉１０が貸し出されたかを記憶する。
なお、貸出し装置３１を通過して遊技者に貸し出されたパチンコ玉１０は、遊技場の管理を離れ、遊技者が管理することとなる。
【００２９】
パチンコ台５０は、パチンコ玉１０の投入部５１と、操作ハンドル５２と、パチンコ玉１０を回収する回収装置５３と、入賞することによりパチンコ玉１０が払い出される払出し装置５４とからなっている。
遊技者は、貸し出されたパチンコ玉１０を投入部５１から投入し、操作ハンドル５２を操作し、パチンコ玉１０を打ち出して遊技を開始する。打ち出されたパチンコ玉１０は、入賞したか否かにかかわらず、回収装置５３を通過して遊技媒体タンク３０に回収される。
【００３０】
この回収装置５３は、パチンコ玉１０を回収するとき、通過するパチンコ玉１０のＩＤ番号を受信し、これらのＩＤ番号を集中管理装置６０に出力する。
そして、集中管理装置６０は、どのパチンコ台５０の回収装置５３から、いかなるＩＤ番号のパチンコ玉１０が回収されたかを入力する。
【００３１】
また、払出し装置５４は、打ち出されたパチンコ玉１０が入賞すると、入賞内容に応じて、遊技媒体タンク３０からパチンコ玉１０を払い出す構成としてある。
この払出し装置５４は、パチンコ玉１０を払い出すとき、通過するパチンコ玉１０のＩＤ番号を受信し、これらのＩＤ番号を集中管理装置６０に出力する。そして、集中管理装置６０は、どのパチンコ台５０の払出し装置５４から、いかなるＩＤ番号のパチンコ玉１０が払い出されたかを入力し記録する。
【００３２】
遊技媒体計数機４０は、遊技を終了した遊技者が獲得したパチンコ玉１０を景品と交換するために計数する機器である。
この遊技媒体計数機４０は、パチンコ玉１０を計数するとき、計数するとともに、通過するパチンコ玉１０のＩＤ番号を受信し、これらのＩＤ番号を集中管理装置６０に出力する。そして、集中管理装置６０は、どの遊技媒体計数機４０から、いかなるＩＤ番号のパチンコ玉１０が回収されたかを入力する。
【００３３】
集中管理装置６０は、通常、パーソナルコンピュータ等の情報処理装置が使用され、貸出し装置３１から、貸出し装置３１を通過したパチンコ玉１０のＩＤ番号，及び，払出し装置５４から、払出し装置５４を通過したパチンコ玉１０のＩＤ番号を入力し記憶装置にＩＤ番号を記録する。
また、集中管理装置６０は、回収装置５３から、回収装置５３を通過したパチンコ玉１０のＩＤ番号，及び，遊技媒体計数機４０から、遊技媒体計数機４０を通過したパチンコ玉１０のＩＤ番号を入力し、記憶装置から記憶してあるＩＤ番号を消去する。
すなわち、集中管理装置６０は、記憶装置が、遊技者に貸し出したパチンコ玉１０と遊技者に払い出したパチンコ玉１０のＩＤ番号を記憶していて、回収装置５３や遊技媒体計数機４０からパチンコ玉１０を回収すると、記憶していたパチンコ玉１０のＩＤ番号リストから、回収したパチンコ玉１０のＩＤ番号を消去する。したがって、記憶装置に消去されずに残っているＩＤ番号のパチンコ玉１０が、遊技場が遊技者に提供しているパチンコ玉１０である。
【００３４】
このように、遊技者が取り扱うことができるパチンコ玉１０は、貸出し装置３１から貸し出されたパチンコ玉１０か、払出し装置５４から払い出されたパチンコ玉１０である。
これに反し、遊技者が、偽のパチンコ玉（たとえば、他店のパチンコ玉や偽造したパチンコ玉）を持ち込んでパチンコ台５０に使用すると、このパチンコ玉が回収装置５３を通過しても、ＩＤ番号を発信しないので、この情報を入力した集中管理装置６０は、警報装置６１に警報信号を出力し、遊技場の店員にパチンコ玉１０の不正使用行為が行なわれていることを知らせることができる。また、遊技者が、他店のパチンコ玉や偽造したパチンコ玉を持ち込んで、遊技媒体計数機４０に投入すると、このパチンコ玉が遊技媒体計数機４０を通過しても、ＩＤ番号を発信しないので、同様に、集中管理装置６０は、警報装置６１に警報信号を出力し、遊技場の店員にパチンコ玉１０の不正使用行為が行なわれていることを知らせることができる。
【００３５】
ここで、好ましくは、回収装置５３及び／又は遊技媒体計数機４０が、他店のパチンコ玉や偽造されたパチンコ玉、すなわち、この遊技場のパチンコ玉１０が発信するＩＤ番号を発信しないパチンコ玉を選別する選別手段を備えた構成とするとよい。このようにすると、遊技媒体タンク３０にパチンコ玉１０に他店のパチンコ玉や偽造されたパチンコ玉が混入されるのを防止できるとともに、効率よく選別することができる。また、他店のパチンコ玉や偽造されたパチンコ玉が遊技場から排除されるので、パチンコ台５０から他店のパチンコ玉が払い出されるといった不具合を防止でき、遊技場の信頼を高めることができる。
【００３６】
また、遊技者が、貸出し装置３１又は払出し装置５４を通過していないパチンコ玉１０、すなわち、遊技媒体タンク３０から盗み出したパチンコ玉１０を遊技媒体計数機４０に投入すると、遊技媒体計数機４０から集中管理装置６０の記憶装置に記憶されていないＩＤ番号が出力される。
このようなＩＤ番号情報を入力した集中管理装置６０は、警報装置６１に警報信号を出力し、遊技場の店員にパチンコ玉１０の盗難行為が行なわれていることを知らせることができる。
【００３７】
ただし、このパチンコ玉１０の盗難行為は、極めて悪質であることから、疑われた遊技者がパチンコ玉１０を盗んでいなかった場合には、この遊技者に多大な迷惑をかけることになるので、慎重に判断する必要がある。
すなわち、数個もしくは数十個のパチンコ玉１０のＩＤ番号が記憶装置に記憶されていないからといって、この遊技者がそのパチンコ玉１０を盗んだと決め付け、いきなり大きな警報音を発したりするのは好ましくない。
【００３８】
このため、好ましくは、遊技媒体計数機４０が、貸出し装置３１及び遊技機の払出し装置５４を通過していないパチンコ玉１０を計数するとよい。
このようにすると、遊技場の店員が、不正行為のレベル、たとえば、他店のパチンコ玉１０が数個混入した程度の見逃してもよい不正行為なのか、パチンコ玉１０の全てが盗まれたパチンコ玉１０や偽造されたパチンコ玉であるといった極めて悪質な不正行為なのかを容易に判断することができ、不正行為に応じて適切に対応することができる。
【００３９】
上述したように、本実施形態の遊技媒体の管理システム１によれば、ミューチップ２０により各パチンコ玉１０にＩＤ番号を付与することができるので、このＩＤ番号を管理することにより、パチンコ玉１０の盗難，偽造パチンコ玉や他店のパチンコ玉の使用といった不正行為を効果的に防止することができる。
また、この管理システム１によれば、パチンコ玉１０に関する不正行為をほぼリアルタイムで認識することができるので、有効に取り締まることができる。
【００４０】
また、本発明の遊技媒体の管理システムは、上記実施形態に限定されるものではなく、たとえば、識別手段として、書き込み及び読み取り機能を有するミューチップ２０を使用し、貸出し装置３１及び払出し装置５４がパチンコ玉１０を遊技者に供給する際、ミューチップ２０に識別情報として、たとえば、毎日変更される暗証番号を書き込み、回収装置５３及び遊技媒体計数機４０がパチンコ玉１０を遊技者から回収する際、書き込まれた暗証番号を読み取り、警報手段が読み取られた識別情報が書き込まれた識別情報と一致するか否かを判断し、一致しないとき警報を発する構成としてもよい。
【００４１】
このようにすると、たとえば、遊技者が正当に入手したパチンコ玉１０を持ち帰り、後日、遊技場で使用するといった不正行為を効率よく取り締まることができる。
なお、暗証番号を読み取れないときは、他店のパチンコ玉又は偽造パチンコ玉が使用されたものとして、警報を発することもできる。
また、警報手段を回収装置５３及び遊技媒体計数機４０に設けることにより、集中管理装置６０を使用しなくてもすむので、設備費のコストダウンを図ることができる。
【００４２】
以上、本発明について、好ましい実施形態を示して説明したが、本発明は、上述した実施形態にのみ限定されるものではなく、本発明の範囲で種々の変更実施が可能であることは言うまでもない。
たとえば、遊技媒体は、パチンコ玉に限定されるものではなく、スロットマシンで使用されるメダル，カジノにおけるチップ，その他遊技機や遊技等で使用される遊技媒体に広く適用することができる。
また、警報装置６１は、音声による警報に限定されるものではなく、たとえば、ランプの光などを利用して警報を発してもよい。
【００４３】
【発明の効果】
以上説明したように本発明の遊技媒体及び遊技媒体の管理システムによれば、遊技者が持ち込んだ他店の遊技媒体や偽造遊技媒体を容易に識別することができるので、かかる不正行為の現場を押させて注意するといった、効果的な指導を行なうことができる。
また、他店の遊技媒体や偽造遊技媒体を容易に識別することができるので、遊技機の回収装置や遊技媒体計数機を用いて、効率よく選別することができ、遊技者に不快感を与えたり、遊技場の信頼が損なわれるといった不具合を回避することができる。
【００４４】
さらに、遊技場の遊技媒体タンク等から遊技媒体を大量に盗み出し、盗んだ遊技媒体を景品と交換するといった悪質な不正行為に対しては、盗まれた遊技媒体であるか否かを容易に識別することができるので、有効に取り締まることができる。
また、ミューチップを、遊技媒体の切欠に収納することにより、ミューチップが遊技媒体により保護されるので、破損するといった不具合を回避することができる。
【図面の簡単な説明】
【図１】図１は、本発明にかかる遊技媒体の概略図であり、（ａ）は正面図を、（ｂ）はＡ−Ａ断面図を示している。
【図２】図２は、本発明にかかる遊技媒体の管理システムにおける、遊技媒体の流れ及び遊技媒体のＩＤ番号情報の流れを説明するための概略ブロック図を示している。
【符号の説明】
１  遊技媒体の管理システム
１０  パチンコ玉
１１  切欠
１２  接着剤
２０  ミューチップ
２１  外部アンテナ
３０  遊技媒体タンク
３１  貸出し装置
４０  遊技媒体計数機
５０  パチンコ台
５１  投入部
５２  操作ハンドル
５３  回収装置
５４  払出し装置
６０  集中管理装置
６１  警報装置
【図１】
2004298365.tif 000003
【図２】
2004298365.tif 000004